(57)【要約】      （修正有）【課題】避難者が避難方向を容易に認識することができる避難誘導照明システムを提供する。【解決手段】複数の照明器具１が、通路３において、避難経路Ｈ１に沿って配置される。複数の照明器具１の夫々に、蓄光部２が備えられる。蓄光部２は、照明器具１における一部の領域として、避難経路Ｈ１における避難方向Ｈ３の下流側に配置されている。【選択図】図１
2018181547.tif 000002
【特許請求の範囲】
【請求項１】
複数の照明器具が避難経路に沿って配置され、
複数の前記照明器具の夫々に蓄光部が備えられ、
前記蓄光部は、前記照明器具における一部の領域として、前記避難経路における避難方向の下流側に配置されている避難誘導照明システム。
【請求項２】
複数の前記照明器具の夫々は、設置対象面に対して凹入する窪み部を有し、その窪み部の内部に照明部が配置された埋込型の照明器具にて構成され、
前記蓄光部は、前記窪み部の一部の領域として、前記避難方向の下流側に配置されている請求項１に記載の避難誘導照明システム。
【請求項３】
前記蓄光部は、正面視で扇形状に形成されている請求項１又は２に記載の避難誘導照明システム。
【請求項４】
前記照明器具の設置箇所に応じて異なる種類の前記蓄光部を配置させる形態で、複数の前記照明器具に対して複数の種類の前記蓄光部が配置されている請求項１〜３の何れか１項に記載の避難誘導照明システム。
【発明の詳細な説明】
【技術分野】
【０００１】
本発明は、照明器具を用いて避難誘導を行う避難誘導照明システムに関する。
【背景技術】
【０００２】
上記のような避難誘導照明システムでは、複数の照明器具が避難経路に沿って配置され、複数の照明器具の夫々に蓄光部を備えることで、避難誘導を行う（例えば、特許文献１参照。）。
【０００３】
特許文献１に記載のシステムでは、照明器具における反射体に蓄光材料を塗布することで、照明器具に蓄光部を備えており、停電等により照明器具の照明部が消灯した場合に、蓄光部が発光し、その蓄光部の光によって避難誘導を行う。また、蓄光部を、避難経路における避難方向を示す矢印形状とすることで、蓄光部の発光により避難方向を示している。
【先行技術文献】
【特許文献】
【０００４】
【特許文献１】特開平９−２６５８１２号公報
【発明の概要】
【発明が解決しようとする課題】
【０００５】
上記特許文献１に記載のシステムでは、蓄光部を矢印形状とすることで、蓄光部の発光により避難方向を示しているが、実際には、避難者が蓄光部の細かな形状まで把握することが難しく、避難者が避難方向を容易に認識することが難しいものとなっていた。
【０００６】
この実情に鑑み、本発明の主たる課題は、避難者が避難方向を容易に認識することができる避難誘導照明システムを提供する点にある。
【課題を解決するための手段】
【０００７】
本発明の第１特徴構成は、複数の照明器具が避難経路に沿って配置され、
複数の前記照明器具の夫々に蓄光部が備えられ、
前記蓄光部は、前記照明器具における一部の領域として、前記避難経路における避難方向の下流側に配置されている点にある。
【０００８】
本構成によれば、蓄光部は、照明器具において、避難経路における避難方向の下流側に配置されているので、複数の照明器具の夫々において、蓄光部の発光により避難方向の下流側領域だけが蓄光部による光が見え易くなることになる。これにより、避難者は、発光部の細かな形状を認識しなくても、発光部にて発光される領域がどの領域であるかを認識するだけで、避難経路における避難方向を容易に認識することができる。
【０００９】
本発明の第２特徴構成は、複数の前記照明器具の夫々は、設置対象面に対して凹入する窪み部を有し、その窪み部の内部に照明部が配置された埋込型の照明器具にて構成され、
前記蓄光部は、前記窪み部の一部の領域として、前記避難方向の下流側に配置されている点にある。
【００１０】
本構成によれば、窪み部において避難方向の下流側領域に蓄光部が配置されているので、照明器具よりも避難方向の下流側に位置する避難者からは蓄光部による光が見え難く、照明器具よりも避難方向の上流側に位置する避難者からは蓄光部による光が見え易くなる。これにより、避難者は、避難方向をより簡易に認識することができる。よって、避難誘導照明システムは、避難者を避難経路に沿って適切に避難誘導することができる。
【００１１】
本発明の第３特徴構成は、前記蓄光部は、正面視で扇形状に形成されている点にある。
【００１２】
本構成によれば、蓄光部として、避難方向を示すための適切な形状でありながら、十分な面積を確保することができるので、蓄光部の発光により、避難者に対して避難方向をより認識し易くすることができる。
【００１３】
本発明の第４特徴構成は、前記照明器具の設置箇所に応じて異なる種類の前記蓄光部を配置させる形態で、複数の前記照明器具に対して複数の種類の前記蓄光部が配置されている点にある。
【００１４】
本構成によれば、例えば、避難口に近い照明器具については、面積が大きい蓄光部を配置させたり、発光度合いが高い蓄光部を配置させる等、照明器具の設置箇所に応じて蓄光部の種類を異ならせることができる。これにより、避難者は、例えば、避難口がどこに存在するのか等、避難経路においてどのような位置に存在しているのかを把握し易くなる。よって、避難誘導照明システムは、避難者を避難経路に沿って適切に避難誘導することができる。
【図面の簡単な説明】
【００１５】
【図１】避難誘導照明システムの概略構成を示す平面図
【図２】照明器具の側面図
【図３】照明器具の正面図
【図４】別実施形態における避難誘導照明システムの概略構成を示す平面図
【図５】別実施形態における照明器具の平面図
【発明を実施するための形態】
【００１６】
本発明に係る避難誘導照明システムの実施形態を図面に基づいて説明する。
この避難誘導照明システムでは、図１に示すように、複数の照明器具１を備えており、それら複数の照明器具１が避難経路Ｈに沿って配置されている。図１では、避難経路Ｈとして、廊下等の通路３にて避難口Ｃ１に導く避難経路Ｈを示している。ちなみに、図１において、照明器具１については、その特徴部分を分かり易くするために、照明器具１の一部（後述する窪み部１２の一部）を省略した模式的な平面図としている。
【００１７】
図１に示すものでは、避難経路Ｈとして、図中上方側から下方側に向かう方向を避難方向Ｘとする第１避難経路部分Ｈ１と、図中下方側から上方側に向かう方向を避難方向Ｘとする第２避難経路部分Ｈ２と、図中左側から避難口Ｃ１が位置する右側に向かう方向を避難方向Ｘとする第３避難経路部分Ｈ３とが配置されている。避難経路Ｈは、第１避難経路部分Ｈ１と第２避難経路部分Ｈ２とが合流して第３避難経路部分Ｈ３に引き続いて、避難口Ｃ１に至る経路となっている。第３避難経路部分Ｈ３において、避難口Ｃ１の近くには、避難口誘導灯Ｃ２が備えられている。
【００１８】
複数の照明器具１の夫々は、図２に示すように、設置対象面である天井部１１に対して上方側に凹入する窪み部１２を有し、その窪み部１２の内部に照明部１３が設置された天井埋込型の照明器具１にて構成されている。ちなみに、照明部１３については、白熱灯、ＬＥＤ電球等、各種の照明部を適用可能である。
【００１９】
窪み部１２は、平面視で円形状（図３参照）に形成されており、その中央部分１２ａが、天井部１１に対する上方側への凹入量が大きく最上位に位置する平坦部分となっている。窪み部１２は、径方向外側ほど下位側となる傾斜状の側壁部分１２ｂを有し、中央部分１２ａに連続して側壁部分１２ｂが備えられている。窪み部１２の中央部分１２ａに照明部１３が配置され、照明部１３が下方側に延びる姿勢にて備えられている。照明部１３の周囲に位置する中央部分１２ａ及び側壁部分１２ｂが照明部１３にて照射される光を反射させる反射部として構成されている。ちなみに、図３は、下方側から照明器具１を見たときの正面図を示している。
【００２０】
複数の照明器具１の夫々には、図２及び図３に示すように、蓄光部２が備えられている。蓄光部２は、照明器具１により照射される光を蓄えて、照明器具１による光の照射が停止されても発光可能に構成されている。蓄光部２は、例えば、蓄光塗料を塗布して構成されており、蓄光塗料を塗布した領域に蓄光部２が配置される。
【００２１】
照明器具１に蓄光部２を備えるに当たり、照明器具１の全体に蓄光部２を配置するのではなく、図２及び図３に示すように、照明器具１の一部の領域だけに蓄光部２が配置されている。蓄光部２は、照明器具１における一部の領域として、避難経路Ｈにおける避難方向Ｘの下流側に配置されている。これにより、照明器具１による照射が停止された場合に、複数の照明器具１の夫々において、図１に示すように、蓄光部２の発光により避難方向Ｘの下流側領域だけが蓄光部２による光が見え易くなることになる。よって、避難者は、避難経路Ｈにおいて避難方向Ｘがどの方向であるかを容易に認識することができる。その結果、避難誘導照明システムは、避難者を避難経路Ｈに沿って適切に避難誘導することができる。
【００２２】
蓄光部２は、窪み部１２の一部の領域である避難方向Ｘの下流側に配置されている。この実施形態では、窪み部１２における反射部として、中央部分１２ａと側壁部分１２ｂとが備えられているので、中央部分１２ａ及び側壁部分１２ｂのうち、避難方向Ｘの下流側領域に蓄光部２が配置されている。このように、蓄光部２は、窪み部１２における反射部のうち、避難方向Ｘの下流側領域に配置されている。ここで、窪み部１２における反射部については、平坦状の中央部分１２ａと傾斜状の側壁部分１２ｂとを備えるものに限らず、例えば、円弧状や傾斜状の側壁部分のみから構成することもでき、各種の形状や構成を適用することができる。よって、窪み部１２において、各種の形状や構成の反射部が適用されても、その反射部のうち、避難方向Ｘの下流側領域に蓄光部２を配置するものであればよい。
【００２３】
蓄光部２の形状については、図３に示すように、照明器具１に対する正面視（下方側から照明器具１を見たときの正面視）で扇形状に形成されている。この実施形態では、照明器具１に対する正面視において、蓄光部２を半円形状に形成している。
【００２４】
このように、蓄光部２は、窪み部１２における中央部分１２ａのうち避難方向Ｘの下流側領域に位置する部分に加えて、窪み部１２における傾斜状の側壁部分１２ｂのうち避難方向Ｘの下流側領域に位置する部分に配置されているので、照明器具１よりも避難方向Ｘの下流側に位置する避難者からは蓄光部２による光が見え難く、照明器具１よりも避難方向Ｘの上流側に位置する避難者からは蓄光部２による光が見え易くなる。また、蓄光部２が半円形状に形成され、蓄光部２の外側の輪郭が避難方向Ｘの下流側が窄まる形状となっているので、蓄光部２自体が避難方向Ｘを指す形状とすることができる。よって、避難者は、避難方向Ｘをより簡易に認識することができる。その結果、避難誘導照明システムは、避難者を避難経路Ｈに沿って適切に避難誘導することができる。
【００２５】
ここで、蓄光部２の形状については、図３に示す半円形状に限るものではなく、例えば、図５に示すように、半円形状よりも角度を小さくした扇形状に形成することもできる。なお、扇形状は半円形状よりも角度を小さくした形状に限らない。扇形状は、半円形状を含み、また、半円形状よりも角度を大きくした形状も含む。ちなみに、図５も、図３と同様に、下方側から照明器具１を見たときの正面図を示している。この場合には、照明部１３よりも避難方向Ｘの下流側だけに蓄光部２を配置させることができる。蓄光部２は、窪み部１２における避難方向Ｘの下流側領域にだけ配置されているものであればよく、蓄光部２の形状については、扇形状に限らず、三角状等、その他各種の形状も適用可能となっている。
【００２６】
上述の如く、複数の照明器具１の夫々には、避難経路Ｈにおける避難方向Ｘの下流側に蓄光部２が配置されているが、複数の照明器具１に蓄光部２を配置させるに当たり、どのような種類の蓄光部２を配置させるかは適宜変更が可能である。図１に示すものでは、複数の照明器具１の夫々に対して同一種類の蓄光部２（図２及び図３に示す蓄光部２）を配置させている。
【００２７】
同一種類の蓄光部２を配置させるのに代えて、照明器具１の設置箇所に応じて異なる種類の蓄光部２を配置させる形態で、複数の照明器具１に対して複数の種類の蓄光部２を配置させることができる。例えば、避難経路Ｈにおいて避難口Ｃ１に近い領域に配置された照明器具１については、避難口Ｃ１から離れた領域に配置された照明器具１よりも、面積（扇形状の角度）が大きい蓄光部２を配置させることができる。また、避難経路Ｈにおいて避難口Ｃ１に近づくにつれ段々と蓄光部２の面積（扇形状の角度）を大きくさせる形態で、複数の照明器具１の夫々に対して面積（扇形状の角度）の異なる蓄光部２を配置させることもできる。
【００２８】
蓄光部２の種類としては、面積だけでなく、発光度合いや発光色等、各種の条件を異ならせることもできる。蓄光部２を構成する蓄光塗料には発光度合いや発光色の異なる様々なものが知られているので、適宜選択して用いればよい。発光度合いを異ならせる場合には、例えば、避難経路Ｈにおいて避難口Ｃ１に近い領域に配置された照明器具１については、避難口Ｃ１から離れた領域に配置された照明器具１よりも、発光度合いが大きい蓄光部２を配置させることができる。また、避難経路Ｈにおいて避難口Ｃ１に近づくにつれ段々と蓄光部２の発光度合いを大きくさせる形態で、複数の照明器具１の夫々に対して発光度合いの異なる蓄光部２を配置させることもできる。
【００２９】
このように、照明器具１の設置箇所に応じて異なる種類の蓄光部２を配置させることで、避難者は、避難経路Ｈにおいて避難口Ｃ１の近くに居るのか、避難口Ｃ１がどこに存在するのか等、避難経路Ｈにおいてどのような位置に存在しているのかを把握し易くなる。よって、避難誘導照明システムは、避難者を避難経路Ｈに沿って適切に避難誘導することができる。
【００３０】
また、例えば、図１に示すものでは、第１避難経路部分Ｈ１と第２避難経路部分Ｈ２とが合流する位置に配置された照明器具１について、他の照明器具１よりも発光度合いの大きい蓄光部２を備えることもできる。これにより、避難者は、第１避難経路部分Ｈ１と第２避難経路部分Ｈ２との合流地点を容易に把握することができるので、避難者を避難口Ｃ１まで迅速に避難誘導することができる。
【００３１】
〔別実施形態〕
（１）上記実施形態では、図１に示すように、廊下等の通路３を避難経路Ｈとして本発明に係る避難誘導照明システムを適用した場合を例示したが、例えば、図４に示すように、多目的ホール等の各種ホール４において、本発明に係る避難誘導照明システムを適用することもできる。
【００３２】
この場合には、図４に示すように、ホール４の前後方向及び左右方向に一定間隔を隔てて複数の照明器具１が配置されており、ホール４の全体に亘って照明器具１が備えられている。図４に示すホール４においては、避難経路Ｈとして、ホール４の左右方向の中央側から左側端部に向かう方向を避難方向Ｘとする第３避難経路部分Ｈ３とホール４の左右方向の中央側から右側端部に向かう方向を避難方向Ｘとする第４避難経路部分Ｈ４との２つの避難経路部分Ｈ３、Ｈ４を１つの組として、それらの組がホール４の前端部、中央部、後端部の夫々に配置されている。
【００３３】
そこで、複数の照明器具１のうち、避難経路Ｈに沿って配置される照明器具１ａのみ蓄光部２を備えている。蓄光部２は、上記実施形態と同様に、照明器具１における一部の領域として、避難経路Ｈにおける避難方向Ｘの下流側だけに配置されている。
【００３４】
ちなみに、ホール４において、避難経路Ｈをどのような位置に配置させるかについては、避難口Ｃ１の位置やその他各種の条件に応じて、適宜変更が可能であり、図４に示す避難経路Ｈは、あくまで一例を示したものである。
【００３５】
また、本発明に係る避難誘導照明システムは、図１に示す廊下等の通路３、及び、図４に示すホール４等、天井埋込型の照明器具１が備えられる建物内空間に限らず、教室、会議室、屋内スポーツ施設、劇場、コンサート場等の各種の建物内空間に適用することができる。
【００３６】
（２）上記実施形態では、照明器具１について、窪み部１２の中央部分１２ａに照明部１３を配置した例を示したが、図示は省略するが、例えば、窪み部１２の側壁部分１２ｂに照明部１３を配置させることもできる。この場合には、側壁部分１２ｂから窪み部１２の中央部に延びる傾斜姿勢にて照明部１３を窪み部１２の側壁部分１２ｂに備えることができる。
【００３７】
（３）上記実施形態では、照明器具１について、天井部１１に窪み部１２を備えた天井埋込型のものを例示したが、例えば、床面を設置対象面として、床部に窪み部を備える床埋込型としたり、壁面を設置対象面として、壁部に窪み部を備える壁埋込型とすることもでき、各種の形式の埋込型の照明器具を適用することができる。
【００３８】
（４）上記実施形態では、照明器具１を、窪み部１２を備えた埋込型としているが、この埋込型に限るものではなく、例えば、天井部１１から下方側に突出する形式の照明器具とすることもでき、各種の照明器具を適用することができる。
【符号の説明】
【００３９】
１          照明器具
２          蓄光部
１１        設置対象面
１２        窪み部
１３        照明部
Ｈ１        避難経路
Ｈ３        避難方向
【図１】
2018181547.tif 000003
【図２】
2018181547.tif 000004
【図３】
2018181547.tif 000005
【図４】
2018181547.tif 000006
【図５】
2018181547.tif 000007